(57)【要約】      （修正有）【課題】連棟型のビニルハウスの谷部に配設する谷樋において、屋根形成用のシート、谷換気用のシートいずれの内側面に結露が生じてもこれを谷樋内に確実に導き、ハウス外へ排出可能とする。【解決手段】隣接するビニルハウス間の谷部長手方向に沿って配設し、ハウス屋根部に張設したシートＳ１内側面に生じた結露水Ｂをハウス外へ排出可能としたビニルハウス用谷樋であって、底壁３から漸次拡開しながら上方へ伸延して樋を形成する左右側壁４，４の上部に、当該側壁と連続する断面視蟻溝形状のシート定着用溝５を形成し、しかも、同シート定着用溝５の開口縁をなす上部リップ部５３のシート受面（５の内面）からの高さを、下部リップ部５２のシート受面（５の内面）からの高さよりも低くした。１０は、屋根形成用のパイプ部材である。【選択図】図４
2005253417.tif 000002
【特許請求の範囲】
【請求項１】
隣接するビニルハウス間の谷部長手方向に沿って配設し、ハウス屋根部に張設したシート内側面に生じた結露水をハウス外へ排出可能としたビニルハウス用谷樋であって、
底壁から漸次拡開しながら上方へ伸延して樋を形成する左右側壁の上部に、当該側壁と連続する断面視蟻溝形状のシート定着用溝を形成し、しかも、同シート定着用溝の開口縁をなす上部リップ部のシート受面からの高さを、下部リップ部のシート受面からの高さよりも低くしたことを特徴とするビニルハウス用谷樋。
【請求項２】
前記シート定着用溝の上部リップ部に、リップ部上面とシートとの密着を阻止する複数の凸部を形成したことを特徴とする請求項１記載のビニルハウス用谷樋。
【請求項３】
前記シート定着用溝の開口部に臨ませて、前記上部リップ部に凹状の結露水導入部を形成したことを特徴とする請求項１又は２に記載のビニルハウス用谷樋。
【発明の詳細な説明】
【技術分野】
【０００１】
この発明は、隣接するビニルハウス間の谷部長手方向に沿って配設されるビニルハウス用谷樋に関し、より詳しくは、ハウス屋根部に張設したシート内側面に生じた結露水をハウス外へ排出可能とした連棟型のビニルハウス用谷樋に関する。
【背景技術】
【０００２】
従来、農業用のビニルハウスとして、ハウスを並設した連棟タイプのものがあり、これらはビニルハウスの屋根面谷部に水が溜まらないようにビニルハウス用谷樋が設けられている。また、かかる農業用に構築されたビニルハウスは、農作物やその他育成する植物に応じてハウス内の温度や湿度を適宜調整する必要があるので、前記屋根面谷部に換気用開口部を設けているのが一般的な構造であった。
【０００３】
一方、ハウス内では使用する水量が多い上に室温が高めであることから、ハウス形成用のシート内面に多量の結露が発生する。そして、屋根部に発生した結露はシート内側面をつたって谷樋のところへ降下してくる。かかる結露水がハウス内の土壌に落下すると、農作物に著しい悪影響を及ぼすため（例えば根腐れや病気発生、生育不良などが考えられる）、前記谷樋に結露水を排水する機能を付与したものが提案されている（例えば、特許文献１を参照。）。
【０００４】
これは、谷樋の側壁上端部に設けたシート定着用溝の背後側部位に、シート内面に結露した結露水の流下を受け止める結露水受部を形成し、この結露水受部の最深部に落水孔を設け、前記落水孔の下側に結露水の流下を受ける溝形の樋ピースを取付け、この樋ピースの下部を谷樋内部へ連絡した構成としたものである。
【０００５】
しかし、上記したように樋ピースなどが必要であり、これを取付けるための構成も複雑となるので、近年では、図７に示すような谷樋が用いられることも多い。
【０００６】
これは、底壁１００から漸次拡開しながら上方へ伸延して谷樋を形成する左右側壁２００，２００のそれぞれの上部に、当該側壁２００と連続する断面視蟻溝形状のシート定着用溝３００を形成し、しかも、同シート定着用溝３００の開口縁をなす上部リップ部４００からさらに先端を外側斜め上方へ伸延させて露受片部５００を連設した構造となっており、シート内側面の結露は、この露受片部５００をつたって樋内部に流出されることになる。６００はシート定着用溝３００の開口部である。
【特許文献１】実公平６−２５３５号公報
【発明の開示】
【発明が解決しようとする課題】
【０００７】
しかし、図７に示した構造では、シート定着用溝３００から上方へ露受片部５００を伸延させているため、この谷樋をハウス構築用パイプに取付けるためには専用留具が必要となっており、コスト高となる要因となっていた。
【０００８】
すなわち、ビニルハウスを構築する場合、ビニルシートはシート定着用溝を形成したレール状のシート留材を用いており、このシート留材を前記ハウス構築用パイプに取付けるための留具が汎用的に用いられている。
【０００９】
しかし、上記構造では、シート定着用溝３００から上方へ露受片部５００を伸延させているため、この露受片部５００が邪魔になって汎用性のある留具を使用できず、専用留具が必要となるのである。
【００１０】
また、上記構造では、屋根を形成するシートと前記上部リップ部４００とが完全に密着してしまうおそれがあり、その場合、シート内側面の露が谷樋につたわりにくくなって、結露排水を確実に行えないおそれがあった。
【００１１】
さらに、前記上部リップ部４００が、谷樋の側面上部に形成されたシート定着用溝３００から外方へ張り出しているので、所定幅のハウス間谷部に谷樋を配設した場合、実質的にはシート定着用溝３００よりも下方に形成される有効容積（受けた水を排水可能な水路としての容積）Ｖを大きくすることができなかった。
【００１２】
本発明は、上記課題を解決することのできるビニルハウス用谷樋を提供することを目的とする。
【課題を解決するための手段】
【００１３】
請求項１記載の本発明では、隣接するビニルハウス間の谷部長手方向に沿って配設し、ハウス屋根部に張設したシート内側面に生じた結露水をハウス外へ排出可能としたビニルハウス用谷樋であって、底壁から漸次拡開しながら上方へ伸延して樋を形成する左右側壁の上部に、当該側壁と連続する断面視蟻溝形状のシート定着用溝を形成し、しかも、同シート定着用溝の開口縁をなす上部リップ部のシート受面からの高さを、下部リップ部のシート受面からの高さよりも低くした。
【００１４】
請求項２記載の本発明では、上記請求項１記載の構成において、前記シート定着用溝の上部リップ部に、リップ部上面とシートとの密着を阻止する複数の凸部を形成したことにも特徴を有する。
【００１５】
請求項３記載の本発明では、上記請求項１又は２に記載の構成において、前記シート定着用溝の開口部に臨ませて、前記上部リップ部に凹状の結露水導入部を形成したことにも特徴を有する。
【発明の効果】
【００１６】
（１）請求項１記載の本発明では、隣接するビニルハウス間の谷部長手方向に沿って配設し、ハウス屋根部に張設したシート内側面に生じた結露水をハウス外へ排出可能としたビニルハウス用谷樋であって、底壁から漸次拡開しながら上方へ伸延して樋を形成する左右側壁の上部に、当該側壁と連続する断面視蟻溝形状のシート定着用溝を形成し、しかも、同シート定着用溝の開口縁をなす上部リップ部のシート受面からの高さを、下部リップ部のシート受面からの高さよりも低くしたために、例えば、隣接するビニルハウス間の谷部の換気用として、裾部を巻上げ自在としたシートを配設した場合、このシートの裾部近傍の内側面は、前記上部リップ部とは離隔して前記下部リップ部に近接あるいは当接することになるので、シート内側面に発生した結露は下部リップ部を通過して谷樋内部に流出するか、あるいは下部リップ部で堰き止められて前記シート定着用溝をつたって谷樋内部に流出し、結露水を確実に排出することができる。また、谷樋の最上部にシート定着用溝を形成しているので、このシート定着用溝よりも下方に形成される有効容積（受けた水を排水可能な水路としての容積）を大きくすることができ、大雨などにも十分対処することが可能となる。
【００１７】
（２）請求項２記載の本発明では、前記シート定着用溝の上部リップ部に、リップ部上面とシートとの密着を阻止する複数の凸部を形成したことにより、上記（１）の効果に加え、上述した換気用の巻上げ自在のシートを設けない場合、あるいはこれを設けてあっても屋根形成用のシートを前記シート定着用溝内にクランプしたハウスの妻面近傍においては、シートが上部リップ部表面に密着することがないので、シート内側面に発生した結露をシート定着用溝に導くことができ、さらに結露水はこの溝をつたって樋内部に流出して確実に排出することができる。
【００１８】
（３）請求項３記載の本発明では、前記シート定着用溝の開口部に臨ませて、前記上部リップ部に凹状の結露水導入部を形成したことにより、シート内側面に発生した結露をシート定着用溝により円滑に導くことが可能となり、上記（１）、（２）の効果をさらに高めることができる。
【発明を実施するための最良の形態】
【００１９】
本発明は、隣接するビニルハウス間の谷部長手方向に沿って配設し、ハウス屋根部に張設したシート内側面に生じた結露水をハウス外へ排出可能としたビニルハウス用谷樋であって、底壁から漸次拡開しながら上方へ伸延して樋を形成する左右側壁の上部に、当該側壁と連続する断面視蟻溝形状のシート定着用溝を形成し、しかも、同シート定着用溝の開口縁をなす上部リップ部のシート受面からの高さを、下部リップ部のシート受面からの高さよりも低くしたものである。
【００２０】
この谷樋は、隣接するビニルハウスの谷部に巻上げ自在の換気用シートを垂下して、適宜ハウス内の換気を可能とした連棟型のビニルハウスに好適に用いることができる。なお、かかる連棟型のビニルハウスの谷部における妻部近傍では、屋根形成用のシートが前記シート定着用溝にクランプされており、これを覆うように前記換気用シートが垂下した状態となっている。
【００２１】
したがって、本谷樋を用いた場合、前記換気用シートの裾部近傍の内側面は、前記上部リップ部とは離隔して前記下部リップ部に近接あるいは当接することになるので、シート内側面に発生した結露は下部リップ部を通過して谷樋内部に流出するか、あるいは下部リップ部で堰き止められて前記シート定着用溝をつたって谷樋内部に流出し、結露水を確実に排出することができる。
【００２２】
他方、前記シート定着用溝内にクランプされた屋根形成用シートの内側面に発生した結露は、上部リップ部表面から前記シート定着用溝に導かれ、その後樋内部に流出して排出されることになる。
【００２３】
このとき、本実施形態では、前記シート定着用溝の上部リップ部に、リップ部上面とシートとの密着を阻止する複数の凸部を形成しており、これら凸部によってシートが前記上部リップ部表面に密着することを防止できるので、シート内側面に発生した結露をシート定着用溝により確実に導くことができ、結果的に排水性能が向上することになる。なお、この凸部は、上部リップ部の上面部を機械的に引起した形状でよい。
【００２４】
さらに、前記シート定着用溝の開口部に臨ませて、前記上部リップ部に凹状の結露水導入部を形成することができ、この結露水導入部によって、シート内側面に発生した結露をシート定着用溝により円滑に導くことが可能となる。なお、この結露水導入部は、前記凸部と凸部との間に形成することが好ましく、上部リップ部の縁部から幅方向へ機械的に凹ませた形状でよい。
【００２５】
また、本実施形態に係る谷樋は、その側壁の最上部位置にシート定着用溝を形成しているので、このシート定着用溝よりも下方に形成される有効容積（受けた水を排水可能な水路としての容積）を大きくすることができ、大雨などにも十分対処することが可能となっている。
【００２６】
ところで、本谷樋は、ビニルハウスの屋根構築用パイプ部材に取付けられて固定されるものであるが、本実施形態では、側壁の最上部に形成された前記シート定着用溝の形状が、ビニルシートを定着するときに用いるレール状シート留材と同様な形状であるので、特別な専用留具などは不要である。すなわち、前記レール状シート留材をハウス構築用のパイプ部材に連結固定するために一般的に用いられる汎用留具をそのまま用いることができるので、コストダウンが図れ、これを購入する農家などでも金銭的な負担が軽減される。
【００２７】
以下、本発明の実施形態について、図面を参照しながらより具体的に説明する。図１は本実施形態に係る谷樋を配設した状態を示す説明図、図２は同谷樋の正面図、図３は同谷樋の使用状態を示す正面図、図４及び図５は同使用状態を示す一部拡大説明図、図６はシート定着用溝の説明図、図７は同シート定着用溝の上部リップ部の説明図である。
【００２８】
図１に示すように、本実施形態に係る谷樋Ａは、連樋型ビニルハウスの隣接するビニルハウス１，１間に形成された谷部２に配設されており、雨水などを受けるとともに、谷樋Ａの要所要所に設けてある図示しない排水孔、あるいは端部に連設した縦樋から地上へ導水可能としたものであり、ハウス長手方向に沿って配設されている。
【００２９】
この谷樋Ａは、図１に示すハウス構築用のパイプ材１０，１１のうち、屋根形成用のパイプ部材１０に図示しない汎用留具によって連結固定されている。
【００３０】
谷樋Ａは、図２に示すように、底壁３と左右側壁４，４とから構成されており、前記底壁３の左右縁から前記左右側壁４，４を漸次拡開させながら上方へ伸延させて樋形状を形成している。
【００３１】
側壁４は、底壁３から略４５度の角度で上方へ伸延した下側壁４ａと、この下側壁４ａに対して略２０度引起すように折曲させて伸延させた中途壁４ｂと、この中途壁４ｂから前記下側壁４ａと略平行に伸延させた上部壁４ｃとからなり、この上部壁４ｃの上部位置に断面視蟻溝形状のシート定着用溝５を形成している。すなわち、シート定着用溝５は側壁４の最上部に、側壁４と連続して一体的に形成されている。
【００３２】
このように、前記シート定着用溝５は側壁４の最上部に位置することになるので、このシート定着用溝５よりも下方に形成される受水の有効容積（受けた水を排水可能な水路としての容積）Ｑを比較的大きくとることができ、大雨などにも十分対処することが可能となっている。
【００３３】
このシート定着用溝５は、ビニルハウス１を構築する際に、ビニルシートをハウス構築用パイプ材に定着するときに用いるレール状の一般的なシート留材と同様な形状であり、溝底をなすシート受面５０と、このシート受面５０よりも狭く形成された溝開口部５１を有する。
【００３４】
そして、図３に示すように、屋根形成用のシートＳをシート定着用溝５内で弾性を有するクランプ材Ｃにより挟圧して定着可能としている。なお、図３中、２１は谷樋Ａの内側面に所定間隔をあけて取付けた継手であり、この継手２１に形成した挿通孔２１ａ内に谷用パイプ材２２を挿通するとともに、この谷用パイプ材２２に押え紐２３を連結して、この押え紐２３により前記シートＳをパイプ材１０に押えつけるようにしている。
【００３５】
また、前記シート定着用溝５は、前述したように、左右側壁４，４の最上部に形成されており、上方へ伸延する側壁４の先端を一旦外側下方へ向けて折り曲げて湾曲した下部リップ部５２を形成し、この下部リップ部５２と連続して前記シート受面５０を形成するとともに、このシート受面５０に連続して先端を内側へ折り曲げ、さらに先端を内側にヘアピン状に折り返して扁平な上部リップ部５３を形成している。
【００３６】
そして、シート定着用溝５の開口縁をなす前記上部リップ部５３における前記シート受面５０からの高さｈを、同じく開口縁をなし、前記上部リップ部５３に対向して位置する下部リップ部５２における前記シート受面５０からの高さＨよりも低くしている。
【００３７】
また、図６に示すように、上部リップ部５３には、リップ部上面とシートＳとの密着を阻止する複数の凸部５４を適宜間隔をあけて形成している。
【００３８】
この凸部５４は、上部リップ部５３の上面部５３ａを機械的に引起した形状でよく、本実施形態では、上部リップ部５３の開口縁部側を高くして反対側に漸次低くした山形形状としている。
【００３９】
また、隣り合う凸部５４間には、溝開口部５１に臨ませて凹状の結露水導入部５５を形成している。この結露水導入部５５は、前記上部リップ部５３の開口縁部５３ｂから幅方向へ機械的に凹ませた形状でよい。
【００４０】
上記構成により、図４に示すように、隣接するビニルハウス１の谷部２に巻上げ自在の換気用シートＳ１を垂下した場合、前記上部リップ部５３と前記シート受面５０との距離と前記下部リップ部５２と前記シート受面５０との距離に差ｄがあるため、当該換気用シートＳ１の裾部近傍の内側面は、前記上部リップ部５３と離隔する一方、前記下部リップ部５２に対しては近接あるいは当接することになるので、換気用シートＳ１の内側面に発生した結露Ｂは、前記下部リップ部５２を通過して谷樋Ａの内部に流出するか、あるいは前記下部リップ部５２で堰き止められて前記シート定着用溝５をつたって谷樋Ａの内部に流出し、結露水Ｂ１を確実に排出することができる。なお、図４中、２５は換気用シートＳ１の裾部先端が巻き付けられた巻取りパイプである。
【００４１】
ところで、上記換気用シートＳ１は、前記シート定着用溝５にはクランプされず、巻取りパイプ２５へ巻き込まれただけとなっているので、巻取りパイプ２５を作業者が手で直接、あるいはその他の回転装置などを操作して巻き上げることで谷部に開口を形成して通風換気が可能となり、ビニルハウス１の上方にこもる熱気などを抜いて室温を下げることができる。
【００４２】
他方、ビニルハウス１の妻部側に位置する屋根形成用のシートＳは、図５に示すように、前記シート定着用溝５内にクランプ材Ｃによってクランプされている。この屋根形成用のシートＳの内側面に発生した結露Ｂは、図示するように、上部リップ部５３の表面から前記シート定着用溝５内に導かれ、その後、結露Ｂの表面張力によってシートＳの裏面をつたって下部リップ部５２を乗り越えて谷樋Ａの内部に流出して排出されることになる。
【００４３】
このとき、図７に示すように、前記上部リップ部５３には、前述した複数の凸部５４が形成されているのでシートＳが全体的に密着することがなく、隣接する凸部５４，５４間には間隙が生じ、しかもこの間隙中に結露水導入部５５が形成されているので、結露Ｂはこの結露水導入部５５から円滑に流出してシート定着用溝５内に浸入するのである。
【００４４】
以上説明してきたように、本実施形態に係る谷樋Ａでは、屋根形成用のシートＳであっても、巻取り可能な換気用シートＳ１であっても、これらの内側に発生する結露Ｂを効率的に谷樋Ａの内部に導いてハウス外の地上へと排水することができるので、結露がビニルハウス１の内部に滴り落ちて、作物などに悪影響を及ぼすことがない。
【００４５】
本発明を実施形態を通して説明してきたが、本発明は上述の実施形態に限定されることはなく、本発明の要旨を逸脱することのない限り、本発明に含まれる。
【図面の簡単な説明】
【００４６】
【図１】本実施形態に係る谷樋を配設した状態を示す説明図である。
【図２】同谷樋の正面図である。
【図３】同谷樋の使用状態を示す正面図である。
【図４】同使用状態を示す一部拡大説明図である。
【図５】同使用状態を示す一部拡大説明図である。
【図６】シート定着用溝の説明図である。
【図７】同シート定着用溝の上部リップ部の説明図である。
【図８】従来の谷樋の正面図である。
【符号の説明】
【００４７】
Ａ  谷樋
Ｂ  結露
Ｓ  シート
Ｓ１  換気用シート
１  ビニルハウス
２  谷部
３  底壁
４  側壁
５  シート定着用溝
５２  下部リップ部
５３  上部リップ部
５４  凸部
５５  結露水導入部
【図１】
2005253417.tif 000003
【図２】
2005253417.tif 000004
【図３】
2005253417.tif 000005
【図４】
2005253417.tif 000006
【図５】
2005253417.tif 000007
【図６】
2005253417.tif 000008
【図７】
2005253417.tif 000009
【図８】
2005253417.tif 000010